(57)【要約】      （修正有）【課題】取り外したキャップをブラブラさせずに留めておくことができると共に、落したり、紛失の心配がなく、体裁の良いキャップ装置を提供する。【解決手段】キャップ本体１から連結バンド３を延長し、この連結バンド３の先端にキャップ４を取り付ける。また、キャップ本体１の肩部１ａには、上方から前記キャップ４の開口縁４ａが嵌合する曲率に設定された円弧状のキャップ保持溝１０を形成し、キャップ４を取って吸飲する場合には、キャップ保持溝１０にキャップ４の開口縁４aを嵌め込んで留めておく。【選択図】図２
0003144974.tif 000002
【実用新案登録請求の範囲】
【請求項１】
上向きの吐出口を上端に形成し、この下部にボトルに対する取付口を形成して成るキャップ本体と、
前記キャップ本体の前記ボトルに対する取付口の外周の一部から水平方向に延長された連結バンドの先端に上向きに連結された前記吐出口に装着自在のキャップと、
前記キャップ本体の肩部において、前記キャップを下向きにしたときにキャップの下縁の円弧の一部が嵌合するように形成された円弧状のキャップ保持溝と、
から成るボトル用キャップ装置。
【請求項２】
前記キャップ本体及び連結バンド及びキャップ並びにキャップ保持溝は、樹脂を材料として射出成形法により一体に成形されていること、を特徴とする請求項１に記載のボトル用キャップ装置。
【考案の詳細な説明】
【技術分野】
【０００１】
本考案は、スポーツ飲料、各種ジュース類、飲料水等を充填し、吸飲に際してはボトルの胴体部をスクイズすることによりその吐出口から口内に内容物を吐出させて使用する所謂スクイズボトルに代表されるボトル用のキャップ装置に関する。
【背景技術】
【０００２】
従来のスクイズボトル用のキャップは、特開平１０−０８６９６１号、同２００４−０６７１１０号、特許第３４１０５５１号公報に掲載されているように、キャップとボトルは別々に形成されているため、一旦キャップを取ってしまうとこのキャップを落としたり、紛失したりすることがある。
【０００３】
そこで、図７で紹介するように、ボトル５に取り付けた吐出口２付のキャップ本体１から側方に連結バンド３を延長し、この連結バンド３の先端にキャップ４を連結しておくことにより、取ったキャップ４を落としたり、紛失したりしないように工夫したものがある。
しかし、このように取ったキャップがボトル１から側方に突出したままであると、ブラブラして体裁が悪いばかりでなく、吸飲の邪魔になる。
【０００４】
また、キャップを紛失しないように、（１）特開２００５-０１５０５２号には「キャップとキャップ首輪部とのジョイント部を作る事で、キャップとボトルとの一体化を図り、キャップの紛失を防止する」内容のものが、また（２）特開２００３-１６０１６３号には「連繋可撓部の一端に円環状の取付けとその中心にボトルの首部大の穴を設け、連繋可撓部の他端に粘着部とその表面に剥離部を着脱自在に設けた」内容のものが、また（３）特開２０００-２３８８３１号には「ペットボトルなどの飲料容器から取り外したキャップを手やポケットなどに一時保管する必要をなくし、キャップの落下や紛失などを防止するために、キャップホルダは、飲料容器の注出部分に着脱自在な把持部材と、飲料容器のキャップに着脱自在なキャップ係合部材と、把持部材とキャップ係合部材とを連結する連結部材とを備え、キャップ係合部材の上面に位置する、連結部材先端に識別体が付設された」内容のものが紹介されている。
【特許文献１】特開平１０−０８６９６１号公報
【特許文献２】特開２００４−０６７１１０号公報
【特許文献３】特許第３４１０５５１号公報
【特許文献４】特開２００５-０１５０５２号公報
【特許文献５】特開２００３-１６０１６３号公報
【特許文献６】特開２０００-２３８８３１号公報
【０００５】
しかし、上記（１）のキャップの場合、上記した図７と同様に、キャップを取った場合、横方向に突き出たままのために吸飲の邪魔になり、また上記（２）の場合は、連繋可撓部を用いてぶら下げるようにしてボトルの首部に着脱自在にキャップを取り付けているため、体裁が悪いと共に保持具ごと紛失する危険がある。また、上記（３）のホルダの場合も、上記（２）の保持具と同様の欠点がある。
【考案の開示】
【考案が解決しようとする課題】
【０００６】
本考案の目的は、このように、キャップを取って吸飲するときに、このキャップが邪魔にならず、紛失せず、体裁の良いスクイズボトルを含むボトル用のキャップ装置を提供することである。
【課題を解決するための手段】
【０００７】
上記目的を達成するため、請求項１に記載の考案においては、ボトル用キャップ装置において、上向きの吐出口を上端に形成し、この下部にボトルに対する取付口を形成して成るキャップ本体と、
前記キャップ本体の前記ボトルに対する取付口の外周の一部から水平方向に延長された連結バンドの先端に上向きに連結された前記吐出口に装着自在のキャップと、
前記キャップ本体の肩部において、前記キャップを下向きにしたときにキャップの下縁の円弧の一部が嵌合するように形成された円弧状のキャップ保持溝と、
から成ることを特徴とするものである。
【０００８】
更に、請求項２に記載の考案においては、請求項１に記載のボトル用キャップ装置において、前記キャップ本体及び連結バンド及びキャップ並びにキャップ保持溝は、樹脂を材料として射出成形法により一体に成形されていること、を特徴とするものである。
【考案の効果】
【０００９】
このように、キャップ本体の肩部にキャップ保持溝を形成したことにより、キャップを取り、吸飲するときは、連結バンドを上方に湾曲させ、この取ったキャップの縁を上方から保持溝内に嵌合して吸飲すれば、邪魔にならず、体裁が良く、落したり、紛失することもない。そして、再キャップするときは、そのままキャップを保持溝から引き上げるようにして取り外し、あとはキャップ本体側の吐出口に被冠するだけで良い。
【実施例】
【００１０】
図１〜図６に基づいて、本考案に係るキャップ装置の詳細を説明する。
この図１〜図６において、１はキャップ本体であって、２はこのキャップ本体１の吐出口、３はキャップ４とキャップ本体１を結んでいる連結バンドであって、これらキャップ本体１及び連結バンド３、キャップ４及び後述のキャップ保持溝は、一つの金型を用いて図１及び図２に示す形態で一体に射出成形されている。
【００１１】
１０は、前記キャップ本体１の肩部１ａに対し、上方から円弧状に切り込むようにして形成されたキャップ４の開口縁４ａが嵌合するキャップ保持溝であって、このキャップ保持溝１０は、キャップ４の開口縁４ａと同一の曲率から成り、溝幅と深さは、キャップ４の開口縁４ａが嵌り易く、しかし、簡単には外れない程度にその寸法が設定されている。また、キャップ保持溝１０の位置は、図のように連結バンド３の直上であるが、左右にずれていても良い。そして、その数も、複数箇所に設けても良い。
上記キャップ本体１は、連結バンド３を湾曲した状態でボトル５の口５ａにスクリューねじ６により装着され、吐出口２にキャップ４が装着される。この状態を図３に示す。  そして、吸飲に際しては、キャップ４を吐出口２からとり外し、図４〜図６に示すようにキャップ４の開口縁４ａをキャップ保持溝１０に上方から嵌合して取り付ける。
【００１２】
この結果、キャップ４は吸飲時に邪魔にならないと共に、落したり、紛失したりしない。また、キャップ４側がブラブラしていないため、体裁も良い。
【産業上の利用可能性】
【００１３】
本考案のキャップ本体１が取り付けて用いられるボトルは、ペットボトル、スクイズボトル、ガラス又は金属製のボトルが対象となる。
【図面の簡単な説明】
【００１４】
【図１】本考案に係るキャップ装置の平面図
【図２】Ａ−Ａ´線断面図
【図３】本考案のキャップ装置をスクイズボトルに取り付けてキャップを被冠した状態の説明図
【図４】キャップを吐出口から取り、これをキャップ本体のキャップ保持溝に嵌合させた状態の側面図
【図５】キャップを吐出口から取り、これをキャップ本体のキャップ保持溝に嵌合させた状態の平面図
【図６】キャップを吐出口から取り、これをキャップ本体のキャップ保持溝に嵌合させて吸飲する状態の説明図
【図７】従来のスクイズボトル用キャップ装置の説明図
【符号の説明】
【００１５】
１  キャップ本体
２  吐出口
３  連結バンド
４  キャップ
５  ボトル
６  スクリューねじ
１０  キャップ保持溝
【図１】
0003144974.tif 000003
【図２】
0003144974.tif 000004
【図３】
0003144974.tif 000005
【図４】
0003144974.tif 000006
【図５】
0003144974.tif 000007
【図６】
0003144974.tif 000008
【図７】
0003144974.tif 000009